(57)【要約】【課題】２回路間で各端子間の接触抵抗を均等に保つことができる構造の接点ブロックを備えた電磁継電器を提供する。【解決手段】２回路の端子２（２ａ、２ｂ）と３（３ａ、３ｂ）にそれぞれ固定接点４が固設され、これらに対応する位置の１対２組の可動接点４１は両端支持バネ形式の２個の可動バネ９（９ａ、９ｂ）でそれぞれ支持される。２個の可動バネ９に絶縁シート１２と押しバネ１８が重ねて橋渡しに配置される。押しバネ１８にはＺ字状の切り欠きによる１対の舌片２０（２０ａ、２０ｂ）が形成され、その先端部２３をアーマチュア３９が押圧することにより、絶縁シート１２と押しバネ１８が上に凹状に変形し、２個の可動バネ９が撓んで傾斜しながら内側に引き込まれ、可動接点４１が固定接点４に摺接移動しながら接触する。【選択図】      図６Ｃ
2008305689.tif 000002
【特許請求の範囲】
【請求項１】
少なくとも、コイル、鉄心、ヨーク及びアーマチュアからなる電磁駆動ブロックと、
少なくとも、基台、該基台に固定され２回路に対応して２組並設された一対の端子、該端子の一端にそれぞれ設けられた球面状の固定接点、両端支持バネ形式の２個の可動バネ、及び該可動バネに固設され前記固定接点に対応する位置に配置される平面状の可動接点からなる接点ブロックと、
前記２個の可動バネの上面に配置された絶縁シートと、
該絶縁シートの上面に配置され、長手方向の両端部側をそれぞれ２個の前記可動バネ上方に配置され、中央部をＺ字状に切り欠かれて１対の舌片を形成し、該１対の舌片の先端部がそれぞれ２個の前記可動バネの中間部に配置される押しバネと、
を有し、
前記コイルヘの通電の接断により前記アーマチュアが前記押しバネの前記１対の舌片の先端部、前記舌片の付け根、前記押しバネの長手方向の前記両端部側、及び前記絶縁シートを介して前記２個の可動バネを駆動して２回路の接点回路を開閉する、
ことを特徴とする電磁継電器。
【請求項２】
前記押しバネの前記舌片の先端部には、前記アーマチュアの先端部が前記可動バネを駆動するために移動したとき前記アーマチュアの先端部を受け入れる形状の案内用凹部が形成されている、ことを特徴とする請求項１記載の電磁継電器。
【請求項３】
前記押しバネは、短手方向の前記舌片よりも外側となる端部に、前記舌片よりも幅の狭い両側連結部を有し、
前記アーマチュアが前記舌片を押圧し前記可動接点と前記固定接点が接触したとき、
前記押しバネの前記両側連結部は上に凹状に撓み、
前記押しバネの長手方向の前記両端部側はそれぞれ外側から内側に下る傾斜を形成し、
前記２個の可動バネはそれぞれ前記押しバネの長手方向の前記両端部側の傾斜に従って短手方向内側に下る傾斜を形成し、
前記可動接点は前記固定接点との接触位置を前記２個の可動バネの短手方向内側に下る傾斜に従って前記固定接点の球面の頂点位置から２個の可動バネの内側位置に向かって移動させる、
ように構成されたことを特徴とする請求項１記載の電磁継電器。
【請求項４】
前記絶縁シートは、前記２個の可動バネの長手方向と直交する方向に長い複数の切り欠き部を有し、該複数のうち２つの切り欠き部は前記押しバネの前記両側連結部に対応する位置に設けられ、
前記押しバネの前記舌片部は、付け根部に形成された上方に高くなるクランク曲げにより前記両側連結部よりも一段高い位置に形成され、前記押しバネが前記絶縁シートの上面に配置されたとき前記絶縁シートと干渉しないだけの空間をあけて配置される、ことを特徴とする電磁継電器。
【請求項５】
前記絶縁シートの長手方向の両端部は、少なくとも前記押しバネの前記舌片の付け根部よりも内側に長く且つ前記押しバネの長手方向両端部よりも外側に長く形成されている、ことを特徴とする電磁継電器。
【発明の詳細な説明】
【技術分野】
【０００１】
本発明は、電磁継電器に係わり、更に詳しくは２回路を同時かつ均等な接点接触力で開閉する構造の電磁継電器に関する。
【背景技術】
【０００２】
従来、２回路を制御でき、小型で通電容量が大きく遮断性能も高く耐衝撃振動特性にも優れる電磁継電器が知られている。
例えば、２つの平行する回路の接点を駆動するに際し、これらに橋渡しされた部材であるカードブロックの中央部をアーマチュア先端部で押してアーマチュアの駆動力をカードブロックを介して可動接点に伝達し、接点を駆動する電磁継電器が提案されている。
【０００３】
すなわち、この電磁継電器は、アーマチュア先端部による１点又は１点に近接する狭い領域に集中された力が、カードブロックを介して２方向に分散されて、２回路が駆動されるようになっている。（例えば、特許文献１参照。）
【特許文献１】特開２００４−３４００６２号公報（要約、図２）
【発明の開示】
【発明が解決しようとする課題】
【０００４】
ところで、上記のように一点に集中された力が２方向に分離されたとき、力が均等に分散したときは２回路の接点接触力（いわゆる接圧）は均等になり、接触抵抗も原則的には同じ値を取ることになるので問題はない。
【０００５】
しかしながら、特許文献１の電磁継電器の構造形態で実験してみると、アーマチュアが押す点（力点）が接点接触部（作用点）の上部に有るため、位置ズレ等によって、接圧の均等性が崩れ、接触抵抗が不揃いになり易いことが判明する。
【０００６】
本発明の課題は、上記従来の実情に鑑み、２回路間で各端子間の接触抵抗を均等に保つことができる構造の接点ブロックを備えた電磁継電器を提供することである。
【課題を解決するための手段】
【０００７】
本発明の電磁継電器は、少なくとも、コイル、鉄心、ヨーク及びアーマチュアからなる電磁駆動ブロックと、少なくとも、基台、該基台に固定され２回路に対応して２組並設された一対の端子、該端子の一端にそれぞれ設けられ球面状の固定接点、両端支持バネ形式の２個の可動バネ、及び該可動バネに固設され上記固定接点に対応する位置に配置される平面状の可動接点からなる接点ブロックと、上記２個の可動バネの上面に配置された絶縁シートと、該絶縁シートの上面に配置され、長手方向の両端部側をそれぞれ２個の上記可動バネ上方に配置され、中央部をＺ字状に切り欠かれて１対の舌片を形成し、該１対の舌片の先端部がそれぞれ２個の上記可動バネの中間部に配置される押しバネと、を有し、上記コイルヘの通電の接断により上記アーマチュアが上記押しバネの上記１対の舌片の先端部、上記舌片の付け根、上記押しバネの長手方向の上記両端部側、及び上記絶縁シートを介して上記可動バネを駆動して接点回路を開閉するように構成される。
【０００８】
この電磁継電器において、上記押しバネの上記舌片の先端部には、例えば、上記アーマチュアの先端部が上記可動バネを駆動するために移動したとき上記アーマチュアの先端部を受け入れる形状の案内用凹部が形成されている。
【０００９】
また、この電磁継電器において、例えば、上記押しバネは、短手方向の上記舌片よりも外側となる端部に、上記舌片よりも幅の狭い両側連結部を有し、上記アーマチュアが上記舌片を押圧し上記可動接点と上記固定接点が接触したとき、上記押しバネの上記両側連結部は上に凹状に撓み、上記押しバネの長手方向の上記両端部側はそれぞれ外側から内側に下る傾斜を形成し、上記２個の可動バネはそれぞれ上記押しバネの長手方向の上記両端部側の傾斜に従って短手方向内側に下る傾斜を形成し、上記可動接点は上記固定接点との接触位置を上記２個の可動バネの短手方向内側に下る傾斜に従って上記固定接点の球面の頂点位置から２個の可動バネの内側位置に向かって移動させる、ように構成される。
【００１０】
また、この電磁継電器において、例えば、上記絶縁シートは、上記２個の可動バネの長手方向と直交する方向に長い複数の切り欠き部を有し、該複数のうち２つの切り欠き部は上記押しバネの上記両側連結部に対応する位置に設けられ、上記押しバネの上記舌片部は、付け根部に形成された上方に高くなるクランク曲げにより上記両側連結部よりも一段高い位置に形成され、上記押しバネが上記絶縁シートの上面に配置されたとき上記絶縁シートと干渉しないだけの空間をあけて配置されるように構成される。
【００１１】
また、例えば、上記絶縁シートの長手方向の両端部は、少なくとも上記押しバネの上記舌片の付け根部よりも内側に長く且つ上記押しバネの長手方向両端部よりも外側に長く形成されている。
【発明の効果】
【００１２】
本発明によれば、アーマチュアの押圧駆動力を押しバネ中央に形成された１対の舌片の中央部を介して２回路の可動接点を支持する両端支持バネ形式の２個の導電性の可動バネに分散して２回路を同時かつ均等な力で開閉すると共に接触時には可動接点がワイプ動作をしながら固定接点に接触するので、常に安定した同一の接点接触力すなわち内部抵抗で２回路を駆動する電磁継電器を提供することが可能となる。
【発明を実施するための最良の形態】
【００１３】
以下、本発明の実施の形態を図面に基づいて詳細に説明する。
【実施例１】
【００１４】
図１Ａ及び図１Ｂは、実施例１における電磁継電器の接点ブロックの組み立て時の最初の工程を示す図である。
図１Ａに示すように、本例の接点ブロックは、基台１と、この基台１に固定された外部の２回路に対応する２組の一対の端子２（２ａ、２ｂ）及び３（３ａ、３ｂ））が並設されている。
【００１５】
これら１対の端子２及び３は、それぞれＬ字型に曲げた端子２ａ（２ａ−１、２ａ−２）、２ｂ（２ｂ−１、２ｂ−２、ただし２ｂ−２は図の陰になって見えない）、３ａ（３ａ−１、３ａ−２）、及び３ｂ（３ｂ−１、３ｂ−２、ただし３ｂ−２は図の陰になって見えない）の曲げ部を基台１の長孔に差し込んで固定されている。
【００１６】
Ｌ字型に曲げた端子２ａ、２ｂ、３ａ、及び３ｂは、それぞれ基台１の上面に配置される内部端子部２ａ−１、２ｂ−１、３ａ−１、及び３ｂ−１と、基台１の外側底面に立設されて外部回路に接続される外部端子部２ａ−２、２ｂ−２、３ａ−２、及び３ｂ−２とを構成する。
【００１７】
このようにＬ字型に曲げて内部端子部と外部端子部とに分けただけの構成で、内部端子部に設けられた２組の１対の端子２ａと２ｂ、及び３ａと３ｂは、それぞれ近接して配置されている。
【００１８】
そして、基台１の上面に配置される内部端子部２ａ−１、２ｂ−１、３ａ−１、及び３ｂ−１、すなわち、１対の端子２及び３の一端には、それぞれ表面が球面状を成す固定接点４が固設して配置される。
【００１９】
また、基台１には、上記２組の１対の端子２及び３が配設されている位置とは反対側の長手方向端部両側に、後述する電磁駆動ブロックのコイル端子が挿通されるコイル端子用通し孔５が形成されている。
【００２０】
そして、基台１には、上記コイル端子用通し孔５と２組ある１対の端子２及び３との中間に、これも後述する電磁駆動ブロックのヨーク後端部と係合するヨーク後部係合案内部６が立設されている。
【００２１】
更に、基台１の２組の１対の端子２及び３が配置されている側の長手方向端部両側近傍に、電磁駆動ブロックのヨーク前端部（後述するアーマチュアが鉄心と離接する側）と係合するヨーク前部係合部７が立設されている。
【００２２】
また更に、基台１には、Ｌ字型の端子２及び３の曲げ部が差し込まれて固定されている長孔に沿ってその外側に、それぞれ端子とは絶縁された可動バネ差込溝８が形成されている。
【００２３】
これらの可動バネ差込溝８には、図１Ｂに示すように、両端支持バネ形式の２個の可動バネ９（９ａ、９ｂ）の、中央部に対して直角に曲げられた両端部の先端がそれぞれ垂直に嵌め込まれて固定される。
【００２４】
これら２個の可動バネ９は、それぞれ１対の固定接点４を跨ぐように配置され、その下面の固定接点４に対応する位置には、図では陰になって見えないが、それぞれ平面状の可動接点が固設されている。
【００２５】
この可動バネ９の可動接点が固設されている中央部は自由に上下できるように形成されており、可動接点が固定接点４への圧接から開放されたとき、固定接点４からの開離力を得ることができるだけのバネ動作を設定するために、可動バネ９の上記中央部に対して直角に曲げられた両端部の曲げ部には、比較的大きな湾曲部が設けられている。
【００２６】
これにより、たとえば常時ＯＦＦ型の接点構成（ａ接点）の場合、可動接点を取り付けた可動バネ９を基台１に固定した状態で、接点ギャップが設定され、可動バネ９の中央部が押し込まれ、接点が閉じる時のバネの反力を、接点の開離力として設定することができる。
【００２７】
このように、２個の可動接点と１個の可動バネ９による橋渡しで２個の固定接点４が接続された（接点部が閉じられた）とき、端子２及び３で構成される２回路は、それぞれ、一方の外部端子部（例えば２ａ−２）、その内部端子部（２ａ−１）、その固定接点４、上記の橋渡し機構（２個の可動接点と１個の可動バネ９）、他方の固定接点４、その内部端子部（２ｂ−１）、及びその外部端子部（２ｂ−２）の順に導通し、上記の構成に見られるように、一方の端子から他方の端子に至る内部回路の最短化が図られている。これにより回路抵抗の低抵抗化が実現されている。
【００２８】
尚、上記の構成においては、可動バネ９は良導電性を有する部材であることが望ましいことは言うまでも無いが、後述するように可動接点を良導電性の可動板に取り付け、この可動板を可動バネ９で支持するように構成した場合は、可動バネ９は高抵抗の部材または
非導電性の部材であってもよい。
【００２９】
上記２個の可動バネ９ａと９ｂの間には、図の一点鎖線ａで示す中間部の境界が設けられ、２個の可動バネ９ａと９ｂは、その長手方向を中間部の境界に平行させて、相互にやや離れて配置されている。
【００３０】
そして、２個の可動バネ９ａと９ｂには、上記の中間部の境界とは反対側となる外側端部に、それぞれ２個の絶縁シート規制爪１１が立設されている。
図２Ａは、上記２個の可動バネ９の上面に配置して用いられる絶縁シートを示す斜視図であり、図２Ｂは、その絶縁シートの上面に配置して用いられる押しバネを示す斜視図である。
【００３１】
図２Ａに示す絶縁シート１２は、ポリイミドシート等の耐熱絶縁シートからなる。絶縁シート１２には、長手方向に平行する長い切り欠き部１３が中央部と両側部に形成されている。これら中央部と両側部に形成されている長い切り欠き部１３の間に残された２本の長いシート部分が、絶縁シート１２の長手方向両端部を連結する２本の連結部１４を形成している。
【００３２】
この絶縁シート１２の長手方向両端部は、外側の両角がほぼ直角に切り欠かれ、その切り欠き部が、後に図示するように可動バネ９に対する位置を規制される位置被規制部１５を形成している。
【００３３】
また、上記の切り欠きにより端部中央で外方向に残された張り出し部１６の外端中央部には、図２Ｂに示す押しバネ１８と係合する係合用切り欠き凹部１７が形成されている。
そして図２Ｂに示す押しバネ１８は、上記の絶縁シート１２の上面に配置されるように構成されている。この押しバネ１８は、中央部をＺ字状の切り欠き部１９のように切り欠かれて、中央に残る部分が１対の舌片２０（２０ａ、２０ｂ）を形成している。
【００３４】
また、この押しバネ１８は、その短手方向の舌片２０よりも外側となる端部に、舌片２０よりも幅の狭い両側連結部２１（２１ａ、２１ｂ）が形成されている。舌片２０は押しバネ１８の長手方向両端部２２に向かって板巾が増加する形状であるため、舌片２０及び長手方向両端部２２は撓みの少ない形状となっている。
【００３５】
これに対して、長手方向両端部２２を連結する両側連結部２１は、舌片２０よりも幅が狭い、つまり押しバネ１８全体の中で一番幅が狭くて長い構成となっているので、一番撓み易くなっている。
【００３６】
したがって、舌片２０の先端部が上から押圧されて舌片２０の先端部２３が中央に沈み込むように変形して、舌片２０が先端を下方に下げて傾斜したとき、舌片２０の撓みが少ないため、長手方向両端部２２も舌片２０に伴って変形し、外側を上方に上げるように傾斜する。
【００３７】
そして、この変形による舌片２０及び長手方向端部２２の撓みは少なく、ほぼ両側連結部２１のみが上に凹状となる形状で撓むことになる。
また、舌片２０の先端部２３には、案内用凹部２４が形成されている。この案内用凹部２４は、後述する電磁駆動ブロックのアーマチュアの先端部が可動バネ９を押圧駆動するために移動したとき、アーマチュアの先端部を受け入れる形状に構成されている。
【００３８】
また、舌片２０の付け根部２５には、上方に高くなるクランク曲げ２６が形成されている。これにより、舌片２０全体が両側連結部２１よりも一段高い位置に配置されるように
なっている。
【００３９】
そして、押しバネ１８の上記の長手方向端部２２には、それぞれ下方にほぼ直角に曲がった係合爪２７を有する張り出し部２８が形成されている。
図３Ａは、上記の絶縁シート１２が２個の可動バネ９ａ及び９ｂの上面に配置された状態を示す斜視図であり、図３Ｂは、その絶縁シート１２の上面に押しバネ１８が配置された状態を示す斜視図である。
【００４０】
この状態で、絶縁シート１２の図２Ａに示した複数の長い切り欠き部１３は、２個の可動バネ９の長手方向と直交する方向に配置される状態となる。
また、この状態において、絶縁シート１２の図２Ａに示した４隅の位置被規制部１５に、可動バネ９ａ及び９ｂの絶縁シート規制爪１１が係合する。この絶縁シート規制爪１１により、絶縁シート１２は、可動バネ９ａ及び９ｂに対して大きく位置ずれしないように規制されている。
【００４１】
この絶縁シート１２の上面に、図３Ｂに示すように、押しバネ１８が配置される。この状態において、押しバネ１８の図２Ｂに示した係合爪２７が、絶縁シート１２の図２Ａに示した張り出し部１６の係合用切り欠き凹部１７に係合している。
【００４２】
この係合用切り欠き凹部１７により、押しバネ１８は、絶縁シート１２を介して可動バネ９ａ及び９ｂに対して大きく位置ずれしないように規制されている。
また、この状態において、図２Ａに示した絶縁シート１２の複数（本例で３つ）の切り欠き部１３のうち側部の２つの切り欠き部１３は、押しバネ１８の両側連結部２１（２１ａ、２１ｂ）に対応する位置に配置されている。
【００４３】
これにより、後述する本例の電磁継電器の動作において図２Ｂで説明したように両側連結部２１が上に凹状（つまり下に凸状）に撓んだとき、この撓みの動作を絶縁シート１２が妨げないように形成されている。
【００４４】
また、前述したように（図２Ｂ参照）、押しバネ１８の舌片２０は、付け根部２５に形成された上方に高くなるクランク曲げ２６により両側連結部２１よりも一段高い位置に配置されるので、図３Ｂに示すように、押しバネ１８が絶縁シート１２の上面に配置されたとき、押しバネ１８の舌片２０は（したがって先端部２３も）、絶縁シート１２と干渉しないだけの空間をあけて配置されることになる。
【００４５】
これにより、舌片２０の先端部２３に対する後述するアーマチュアによる押し下げ作用に対しても、絶縁シート１２に妨げられないように構成されている。
また、絶縁シート１２の図２Ａに示した長手方向の両端部２２は、図３Ｂにおいて、少なくとも押しバネ１８の舌片２０の付け根部２５よりも内側に長く且つ押しバネ１８の長手方向両端部２２よりも外側に長くなるように形成されている。
【００４６】
もし、切り欠き部１３の位置が変動して、長手方向端部片側が舌片２０のクランク曲げ２６（図２参照）よりも押しバネ１８の外側方向に位置し、長手方向端部反対側が反対側のクランク曲げ２６よりも押しバネ１８の内側方向に有った場合、絶縁シート１２の曲げの状態及びアーマチュアの力の作用点が両側でアンバランスになりやすく、２回路の接点の接触圧や接触抵抗に差を生じやすくなる。
【００４７】
絶縁シート１２の長手方向両端部２２が押しバネ１８の舌片２０の付け根部２５よりも内側に長ければ、つまり、切り欠き部１３の長手方向端部の位置がクランク曲げ２６よりも内側にあれば、多少の位置ズレを生じても、アーマチュアによる押し下げ力の作用はバ
ランスを崩しにくく、安定して力を分割し、各接点の接触圧や接触抵抗を均等に維持することができるようになる。
【００４８】
このようにして、基台１、固定接点４を有する端子２、端子３、２個の可動バネ９、絶縁シート１２、及び押しバネ１８の組み付けが完了して、図３に示すように、接点ブロック３０が完成する。
【００４９】
図４Ａは、上記の接点ブロック３０に組み付けられる電磁駆動ブロックの上方からの斜視図であり、図４Ｂは、その下方からの斜視図である。尚、図４Ａ及び図４Ｂに示す電磁駆動ブロックは、一般的なヒンジ型を例にとって示している。
【００５０】
図４Ａに示すように、電磁駆動ブロック３１は、コイルボビン３２と、このコイルボビン３２に巻回されたコイル３３と、コイルボビン３２に固定された２本のコイル端子３４と、この２本のコイル端子３４とコイル３３の両端部とをそれぞれ半田付けによって接続した接続部３５を備えている。
【００５１】
なお、２本のコイル端子３４には、それぞれ外側に向いて凸部３６が形成されている。また、上記のコイル３３の内部には、図ではコイル３３の陰になって見えないが、鉄心が挿入されて配置されている。
【００５２】
また、図４Ｂに示すように、電磁駆動ブロック３１には、コイル３３の下部に接してヨーク３７が配置される。ヨーク３７は、コイルボビン３２に固定されて支持されている。
このヨーク７に、ヒンジバネ３８を介してアーマチュア３９が取り付けられている。このアーマチュア３９は、ほぼ直角に曲げられた曲げ部をヒンジバネ３８により支持されている。
【００５３】
このアーマチュア３９は、コイルボビン３２の図に示す右側で、鉄心と対向する吸着離接部３９−２と、曲げ部からヨーク３７の下方に回りこんで、ヨーク３７の下方に配置される上下駆動部３９−１とで構成されている。
【００５４】
図５は、接点ブロック３０への電磁駆動ブロック３１の組み付けを示す図である。図５の上に示す電磁駆動ブロック３１は、図の矢印ａで示すように接点ブロック３０に組み付けられる。
【００５５】
この組み付けでは、電磁駆動ブロック３１のヨーク７の係合部が、接点ブロック３０のヨーク後部係合案内部６及びヨーク前部係合部７に係合して、電磁駆動ブロック３１が接点ブロック３０により支持されると共に、電磁駆動ブロック３１のコイル端子３４が接点ブロック３０のコイル端子用通し孔５に挿通される。
【００５６】
そして、やや弾性のあるコイル端子３４が、その凸部３６をコイル端子用通し孔５に滑動させながら内側に押し込まれ、凸部３６がコイル端子用通し孔５を通り抜けたところで、内側に押し込まれていた凸部３６が、コイル端子３４の弾性により外側に跳ね戻る。
【００５７】
そして、凸部３６がコイル端子用通し孔５の外側縁部下面に当接する。これにより、接点ブロック３０から電磁駆動ブロック３１が逸脱するのが防止される。また、これで接点ブロック３０への電磁駆動ブロック３１の組み付けが完了し、本発明の実施例１における電磁継電器４０が完成する。
【００５８】
図６Ａ〜図６Ｃは、上記のように完成した電磁継電器４０の動作を説明する図であり、図５におけるＢ−Ｂ´矢視断面拡大図である。尚、図６Ａ〜図６Ｃには、図１乃至図５に
示した構成と同一の構成部分には図１乃至図５に示した番号と同一の番号を付与して示している。
【００５９】
図６Ａは、図５に示す電磁駆動ブロック３１への通電が切断されており、したがって、コイル３３が磁界を形成せず、コイル内の鉄心が磁力を発生せず、アーマチュア３９はヒンジバネ３８の付勢力により上下駆動部３９−１がヨーク３７の下面方向に引き付けられて接点駆動を行わず、接点が開放されている状態を示している。
【００６０】
ここで、電磁駆動ブロック３１への通電が開始されると、コイル３３が磁界を形成し、コイル内の鉄心が磁力を発生し、図４Ｂに示したアーマチュア３９の吸着離接部３９−２が鉄心に吸着されて、アーマチュア３９がヒンジバネ３８の付勢力に抗してヒンジを支点に回動し、上下駆動部３９−１がヨーク３７の下面から離れて下方向に回動する。
【００６１】
図６Ｂは、アーマチュア３９の下方向に回動した上下駆動部３９−１が、押しバネ１８の１対の舌片２０の各先端部２３、舌片２０の付け根部２５、長手方向端部２２、及び絶縁シート１２を介して可動バネ９ａ、９ｂを押圧駆動し、これにより、可動接点４１と固定接点４が接触して接点回路が閉じた直後の状態を示している。
【００６２】
このように、図６Ｂは、上下駆動部３９−１による初期の押圧により、可動バネ９ａ、９ｂの接点支持部が垂直に降下して可動接点４１と固定接点４が接触した直後であるので、平面状の可動接点４１の接触面は、水平な面ｃに沿って水平であり、これにより、可動接点４１は曲面状の固定接点４の矢印ｂ及び矢印ｂ´で示す頂点位置に接触している。
【００６３】
これに引き続いて上下駆動部３９−１により舌片２０の先端部が上から更に押し込まれる。すると、図２Ｂで説明したように、舌片２０が先端部を下方に下げて傾斜し、その傾斜に伴って長手方向端部２２が外側を上方に上げて傾斜し、両側連結部２１が上に凹状に撓んだ状態になる。
【００６４】
このとき、押しバネ１８の長手方向両端部２２は、上記の傾斜と平行に変形が進み、傾斜を大きくしながら内側に引き込まれる状態となる。
図６Ｃは、そのときの状態を示している。尚、図６Ｃでは断面のため両側連結部２１ｂが示されているが、両側連結部２１ａも同様である。
【００６５】
そして、図６Ｃに示すように、このような押しバネ１８の長手方向両端部２２の内側へ引き込まれる変形に従って、２個の可動バネ９ａ、９ｂは、それぞれ短手方向内側に下る傾斜を形成しながら変形し内側に引き込まれる。この可動バネ９ａ、９ｂの変形に従って、４個の可動接点４１も同様に傾斜しながら内側に引き込まれる。
【００６６】
図６Ｂに示した可動接点４１の平面に沿う水平な面ｃは、可動接点４１の傾斜に伴って図６Ｃに示すように、２個の可動バネ９ａ、９ｂの矢印ｂで示す中間で最も沈み込んだ状態の浅いＶ字型の傾斜を持った破線ｃ´に変形する。
【００６７】
このような２個の可動バネ９ａ、９ｂの短手方向内側に下る傾斜に従って生じる可動接点４１の水平状態から傾斜状態へ変化しながら内側に引き込まれる変形に伴い、可動接点４１は、固定接点４との接触位置を、固定接点４の球面の矢印ｂ又はｂ´で示す頂点位置から、矢印ｃ又はｃ´で示す２個の可動バネ９ａ、９ｂの内側位置に向かって摺接しながら移動する。これによりワイプ動作が行われる。
【００６８】
一般に、接点に限らず通常の金属は、その表面が酸化によって皮膜を形成しやすい。酸化皮膜は導電性を低下させる作用がある、また、接点には微細なゴミが付着しやすい。こ
のようなゴミも接点間の接触圧を弱めて接点の導電性を低下させる。
【００６９】
そのような接点の低負荷での開閉でも接触安定性を維持するために、接点表面の接触部でのワイプ動作によって、酸化皮膜やゴミを取り除くことが重要になる場合がある。本例では、上述したように接点を閉じる都度、並設された２個の可動バネ９ａ、９ｂが内側に傾くように移動することにより、２回路の接点のワイプ動作が行われる。
【００７０】
このように、本例の電磁継電器４０によれば、２極構成の４組の接点（可動接点４１、固定接点４）の中間を、アーマチュア３９が、押しバネ１８の１対の舌片２０の先端部２３を介して押すことにより、２回路のリレーの動作を設定することができる。
【００７１】
そして、固定接点４と可動接点４１の当接後のアーマチュア３９の押し込みにより、可動バネ９の可動接点取り付け部と端部支持部との間に撓みを生じさせ、２個の可動バネ９ａ、９ｂが、それぞれ短手方向内側（相手側方向）に下るように傾くことにより、２回路の接点接触部での頂点位置から可動バネ９ａ、９ｂの内側位置に向かって摺接しながら移動するワイプ動作を起こすことができる。
【００７２】
ところで、従来は、アーマチュアが直接押圧駆動する押しバネは、中央部から周辺部まで一連一体型の押し部材が使用され、その中央一点をアーマチュアが押すことで、その押圧力を押し部材の周辺部に分散させて２組４点の接点の接触作用を生じさせていた。
【００７３】
本例では、上述したように、押しバネの中央部にＺ字状の切り込みを設けて押しバネの長手方向両端部から中央部に向けて１対の舌片が形成され、この舌片の先端部をアーマチュアの先端部が押すように構成する。
【００７４】
すなわち、対称的に位置する２対の接点回路に対し、それぞれの接点回路の可動バネに別々に但し対称的にアーマチュアの押圧力が作用する。つまり、アーマチュアの先端部が押しバネのそれぞれ別の舌片の先端部を押圧駆動するが、これらは対称的な構造であり、したがって、アーマチュアの押圧力は舌片を介して均等にそれぞれの接点回路に作用することができる。
【００７５】
また、アーマチュアは、１対の舌片を個々に押しているため、押しバネの周辺に伝達されるアーマチュアの押圧力のバランスは容易に崩れることなく、均等な力配分が得られ、２対の接点回路における接触圧、接触抵抗も、均等に保たれる構造となっている。
【００７６】
さらに、アーマチュアの先端部と、押しバネの位置関係は、電磁駆動ブロックのコイル通電に伴うアーマチュアの動作で、相互に位置ズレを生じないように、押しバネの舌片の先端部のアーマチュアからの押圧を受ける部分に、その部分に当接するアーマチュアの押圧駆動部と同じ反対形状の凹部を設けて、アーマチュアの先端部の受け入れを案内するようにしている。
【００７７】
これにより、押しバネ、絶縁シート間に組み付け時の配置誤差による相互の位置ズレが生じても、常にアーマチュアは押しバネの中部をとらえて動作するため、力の分割状態が変化することはない。
【００７８】
尚、接点の構成として、低抵抗にするために、可動接点を可動バネより厚いたとえば銅板に取付けるようにしてもよい。銅板は、例えば０．５ｍｍ〜０．８ｍｍのような厚さのものに設定してよい。
【００７９】
こうすれば、求められる弾性力によっては厚さに制限が発生する可動バネを用いるより
も、抵抗を下げることが容易となる。この場合、可動板は接点材料と銅のインレイ材（２種の材料を張り合わせた材料）で接点と一体として構成することもできる。また、可動バネには、抵抗の大きなステンレスを使用することもできる。
【００８０】
本発明の絶縁シート１２と押しバネ１８を用いて、アーマチュアにより２回路の接点を接触駆動する構成は、上記のように厚い可動板を用いた場合であっても、直線上に配置された一対の固定接点と、これに対応する可動接点を取り付けた可動板を支持する可動バネを２組設け、これらの上に絶縁シート１２と押しバネ１８を橋渡しして載置することによって、図６Ｃで説明したと同様に接点ワイプを持たせることができる。
【図面の簡単な説明】
【００８１】
【図１Ａ】実施例１における電磁継電器の接点ブロックの組み立て時の基台と端子の組み立て状態を示す斜視図である。
【図１Ｂ】実施例１における電磁継電器の接点ブロックの基台と端子の組み立て後に可動バネを組み付けた状態を示す斜視図である。
【図２Ａ】実施例１における電磁継電器の接点ブロックの２個の可動バネの上面に配置して用いられる絶縁シートを示す斜視図である。
【図２Ｂ】実施例１における電磁継電器の接点ブロックの絶縁シートの上面に配置して用いられる押しバネを示す斜視図である。
【図３Ａ】実施例１における電磁継電器の接点ブロックにおいて絶縁シートが２個の可動バネの上面に配置された状態を示す斜視図である。
【図３Ｂ】実施例１における電磁継電器の接点ブロックにおいて押しバネが絶縁シートの上面に配置された状態を示す斜視図である。
【図４Ａ】実施例１における電磁継電器の接点ブロックに組み付けられる電磁駆動ブロックの上方からの斜視図である。
【図４Ｂ】図４Ａの電磁駆動ブロックの下方からの斜視図である。
【図５】実施例１における接点ブロックへの電磁駆動ブロックの組み付けを示す図である。
【図６Ａ】実施例１において完成した電磁継電器の動作を説明するための図５のＢ−Ｂ´矢視断面拡大図（その１）である。
【図６Ｂ】実施例１において完成した電磁継電器の動作を説明するための図５のＢ−Ｂ´矢視断面拡大図（その２）である。
【図６Ｃ】実施例１において完成した電磁継電器の動作を説明するための図５のＢ−Ｂ´矢視断面拡大図（その３）である。
【符号の説明】
【００８２】
１      基台
２（２ａ、２ｂ）  端子
２ａ−１、２ｂ−１  内部端子部
２ａ−２、２ｂ−２  外部端子部
３（３ａ、３ｂ）  端子
３ａ−１、３ｂ−１  内部端子部
３ａ−２、３ｂ−２  外部端子部
４      固定接点
５      コイル端子用通し孔
６      ヨーク後部係合案内部
７      ヨーク前部係合部
８      可動バネ差込溝
９（９ａ、９ｂ）  可動バネ
１１    絶縁シート規制爪
１２    絶縁シート
１３    長い切り欠き部
１４    連結部
１５    位置被規制部
１６    張り出し部
１７    係合用切り欠き凹部
１８    押しバネ
１９    Ｚ字状の切り欠き部
２０（２０ａ、２０ｂ）  舌片
２１（２１ａ、２１ｂ）  両側連結部
２２    長手方向端部
２３    舌片先端部
２４    案内用凹部
２５    舌片付け根部
２６    クランク曲げ
２７    係合爪
２８    張り出し部
３０    接点ブロック
３１    電磁駆動ブロック
３２    コイルボビン
３３    コイル
３４    コイル端子
３５    接続部
３６    凸部
３７    ヨーク
３８    ヒンジバネ
３９    アーマチュア
３９−１  上下駆動部
３９−２  吸着離接部
４０    電磁継電器
４１    可動接点
【図１Ａ】
2008305689.tif 000003
【図１Ｂ】
2008305689.tif 000004
【図２Ａ】
2008305689.tif 000005
【図２Ｂ】
2008305689.tif 000006
【図３Ａ】
2008305689.tif 000007
【図３Ｂ】
2008305689.tif 000008
【図４Ａ】
2008305689.tif 000009
【図４Ｂ】
2008305689.tif 000010
【図５】
2008305689.tif 000011
【図６Ａ】
2008305689.tif 000012
【図６Ｂ】
2008305689.tif 000013
【図６Ｃ】
2008305689.tif 000014